(57)【要約】【課題】吸込流路の負圧によるシート状弾性体の位置ずれ及び変形を防止し、シール性を向上させポンプ性能の低下を防止することができる自吸式ポンプを提供することを目的とする。【解決手段】本発明の自吸式ポンプは、ａ．羽根車を駆動する駆動モータと、ｂ．開口部を有し内部に羽根車が配設されたケーシングと、ｃ．吐出口と、吸込口と、内部に吐出口に連通した吐出流路２０ａと吸込口に連通した吸込流路とを区画する分離壁部１９と、を有し、シート状弾性体１６を介して周縁部及び分離壁部１９との当接部で水密となるように開口部に覆設されたケーシングカバー１７と、を備えた自吸式ポンプであって、シート状弾性体１６が、分離壁部１９の少なくとも吐出流路２０ａ側の面に添って立設された位置ずれ防止壁部２５を備えた構成を有する。【選択図】図１
2006214277.tif 000002
【特許請求の範囲】
【請求項１】
ａ．羽根車を駆動する駆動モータと、
ｂ．開口部を有し内部に前記羽根車が配設されたケーシングと、
ｃ．吐出口と、吸込口と、内部に前記吐出口に連通した吐出流路と前記吸込口に連通した吸込流路とを区画する分離壁部と、を有し、シート状弾性体を介して周縁部及び前記分離壁部との当接部で水密となるように前記開口部に覆設されたケーシングカバーと、
を備えた自吸式ポンプであって、
前記シート状弾性体が、前記分離壁部の少なくとも前記吐出流路側の面に添って立設された位置ずれ防止壁部を備えたことを特徴とする自吸式ポンプ。
【請求項２】
前記位置ずれ防止壁部と前記分離壁部との間に遊び部を備えて前記位置ずれ防止壁部が形成されていることを特徴とする請求項１に記載の自吸式ポンプ。
【発明の詳細な説明】
【技術分野】
【０００１】
本発明は、内部に羽根車が配設されたケーシングと、シート状弾性体を介して周縁部及び分離壁部との当接部で水密となるようにケーシングの開口部に覆設されたケーシングカバーと、を備えた自吸式ポンプに関する。
【背景技術】
【０００２】
近年、風呂の浴水の循環用等として（特許文献１）に示すような自吸式ポンプが用いられている。
【０００３】
図３は従来の自吸式ポンプの一部断面要部側面図であり、図４は従来の自吸式ポンプのケーシングカバーの要部正面図である。
【０００４】
図中、１０１は従来の自吸式ポンプ、２は駆動モータ、３ａ，３ｂは駆動モータ２の外郭部品であるモータカバー、４はステータ、５はモータ側回転軸５ａを中心に回転するロータ、６ａ，６ｂはモータカバー３ａ，３ｂの内側に配設されモータ側回転軸５ａを回転自在に軸支する一対のモータ側軸受部、７はモータ側回転軸５ａに固定されたカップ状のハウジング部、８はハウジング部７の内側に固定された円環状の駆動側マグネット、９はモータカバー３ａにねじ止めにより固定されハウジング部７の周囲を覆うブラケット部、１１はブラケット部９に支持固定されたケーシング、１２はケーシング１１の内部に配設されポンプ側回転軸１２ａを中心に回転する羽根車、１３はポンプ側回転軸１２ａを軸支するポンプ側軸受部、１４は羽根車１２の背部に固定され駆動側マグネット８の内周部に対向して配設され磁気的に結合した円環状の従動側マグネット、１５はケーシング１１の正面開口部に覆設された仕切り板、１６は仕切り板１５の正面側に添設されたシート状弾性体、１７はシート状弾性体１６を介して周縁部で水密となるようにケーシング１１の正面開口部に覆設されたケーシングカバーである。ケーシングカバー１７は呼び水用タンクを形成し、ケーシング１１の正面開口部の周縁部とケーシングカバー１７の開口部の周縁部とは、シート状弾性体１６を挟んで固定ビス１７ａにより水漏れなく接合されている。１８ａはケーシングカバー１７の上部に形成され後述の吐出流路に連通した吐出口、１８ｂはケーシングカバー１７の上部に形成された後述の吸込流路に連通した吸込口、１９はケーシングカバー１７の内部に立設された分離壁部、２０ａ，２０ｂは分離壁部１９により区画された吐出流路及び吸込流路であり、吸込流路２０ｂは仕切り板１５及びシート状弾性体１６に形成された吸込側連通部２１を介して羽根車１２が配設された羽根車室２２に連通している。
【０００５】
図５（ａ）はシート状弾性体の正面図であり、図５（ｂ）は図５（ａ）のＢ−Ｂ線の要部矢視断面図である。
【０００６】
図５において、２３ａ〜２３ｃはシート状弾性体１６に形成された吐出側連通部、２４はシート状弾性体１６の表面に突設されケーシングカバー１７の周縁部及び分離壁部１９の端部が圧接状態で当接する凸部である。
【０００７】
以上のように構成された従来の自吸式ポンプ１０１について、以下シート状弾性体１６の作用を図６を用いて説明する。
【０００８】
図６は自吸式ポンプ作動時のシート状弾性体の状態を示す要部断面図である。
【０００９】
駆動モータ２が駆動され羽根車１２が回転すると、吸込流路２０ｂの水が吸込側連通部２１を介してケーシング１１側に吸込まれるため、吸込流路２０ｂは圧力的に負圧となり、一方ケーシング１１の水は吐出側連通部２３ａ〜２３ｃを介して吐出流路２０ａに吐出されるため、吐出流路２０ａは正圧となる。ここで、自吸式ポンプ１０１への押し込み圧が高い場合、仕切り板１５が撓んでシート状弾性体１６との間に隙間が生じ、さらに、図６に示すように、吸込流路２０ｂの負圧が大きくなるため、シート状弾性体１６が吸込流路２０ｂ側に引っ張られたり、分離壁部１９が撓んだりして、シート状弾性体１６と分離壁部１９の端部との間に隙間が生じシール機能を果たさなくなる場合があった。
【特許文献１】特開平５−４４６８２号公報
【発明の開示】
【発明が解決しようとする課題】
【００１０】
しかしながら上記従来の技術では、以下のような課題を有していた。
（１）従来の自吸式ポンプ１０１では、押込み圧が高い状態で使用すると、シート状弾性体１６が経時的に変形し、本来の目的であるシール機能を果たさず、ポンプ性能が低下するという課題を有していた。また、変形により生じた隙間から水が流れ込み、シート状弾性体１６を震わせて異常音が発生するという課題を有していた。
（２）近年、自吸式電気ポンプの需要が多用途となり、例えば電気温水器用循環ポンプとして使用される場合があり、この場合、風呂循環用より高い水温で使用され、ポンプ自体が発生させる圧力に加えポンプに高い押込み圧がかかり、圧力が高い状態で通常運転される場合が多く、そのため、市場の要求としては水温が高く、押し込み圧が高い状態で通常運転可能な自吸式ポンプが強く求められている。
【００１１】
本発明は上記従来の課題を解決するもので、吸込流路の負圧によるシート状弾性体の位置ずれ及び変形を防止し、シール性を向上させポンプ性能の低下を防止することができる自吸式ポンプを提供することを目的とする。
【課題を解決するための手段】
【００１２】
上記課題を解決するために、本発明の自吸式ポンプは、ａ．羽根車を駆動する駆動モータと、ｂ．開口部を有し内部に羽根車が配設されたケーシングと、ｃ．吐出口と、吸込口と、内部に吐出口に連通した吐出流路と吸込口に連通した吸込流路とを区画する分離壁部と、を有し、シート状弾性体を介して周縁部及び前記分離壁部との当接部で水密となるように開口部に覆設されたケーシングカバーと、を備えた自吸式ポンプであって、シート状弾性体が、分離壁部の少なくとも吐出流路側の面に添って立設された位置ずれ防止壁部を備えた構成を有する。
【００１３】
これにより、吸込流路の負圧によるシート状弾性体の位置ずれ及び変形を防止し、シール性を向上させポンプ性能の低下を防止することができる自吸式ポンプを提供することができる。
【発明の効果】
【００１４】
以上説明したように本発明の自吸式ポンプによれば、以下のような有利な効果が得られる。
【００１５】
請求項１に記載の発明によれば、シート弾性体に位置ずれ防止壁部が形成されているので、押込み圧が高い状態等においてシート弾性体の移動を防止し変形や位置ずれを防止し、高いシール性を維持することができ、異常音の発生も防止できるポンプ性能及び静音性に優れた自吸式ポンプを提供することができる。
【００１６】
請求項２に記載の発明によれば、請求項１の効果に加え、位置ずれ防止壁部と分離壁部との間に遊び部が形成されているので、押込み圧が高い状態等においてシート状弾性体に過度に負荷がかかるのを防止でき、経時的な変形や劣化を抑止できる耐久性に優れた自吸式ポンプを提供することができる。
【発明を実施するための最良の形態】
【００１７】
本発明は、吸込流路の負圧によるシート状弾性体の位置ずれ及び変形を防止し、シール性を向上させポンプ性能の低下を防止することができる自吸式ポンプを提供するという目的を、シート状弾性体が分離壁部の少なくとも吐出流路側の面に添って立設された位置ずれ防止壁部を備えることにより実現した。
【００１８】
上記課題を解決するためになされた請求項１の発明は、ａ．羽根車を駆動する駆動モータと、ｂ．開口部を有し内部に羽根車が配設されたケーシングと、ｃ．吐出口と、吸込口と、内部に吐出口に連通した吐出流路と吸込口に連通した吸込流路とを区画する分離壁部と、を有し、シート状弾性体を介して周縁部及び前記分離壁部との当接部で水密となるように開口部に覆設されたケーシングカバーと、を備えた自吸式ポンプであって、シート状弾性体が、分離壁部の少なくとも吐出流路側の面に添って立設された位置ずれ防止壁部を備えた構成を有している。
【００１９】
この構成により、以下の作用を有する。
（１）シート弾性体のケーシングカバー側に分離壁部の少なくとも吐出流路側の面に添って位置ずれ防止壁部が形成されているので、押込み圧が高い状態等においてシート状弾性体が変形したり位置ずれしたりしようとしても位置ずれ防止壁部が分離壁部に当接してシート弾性体の移動を防止し変形や位置ずれを防止し、高いシール性を維持することができると共に、異常音の発生も防止できる。
【００２０】
ここで、位置ずれ防止壁部は、分離壁部に添って直線状又は曲線状に形成され、分離壁部の全体に渡って形成してもよく、所定部にのみ形成してもよい。また、位置ずれ防止壁部として、分離壁部に添って連続突起を形成してもよい。なお、位置ずれ防止壁部は、分離壁部の吐出流路側と吸込流路側の両側に形成してもよく、これにより、分離壁部を位置ずれ防止壁部で挟み込んでさらにシール性を向上させることができる。
【００２１】
上記課題を解決するためになされた請求項２の発明は、請求項１の発明に記載の自吸式ポンプであって、位置ずれ防止壁部と分離壁部との間に遊び部を備えて位置ずれ防止壁部が形成された構成を有している。
【００２２】
この構成により、請求項１の発明の作用に加え、以下の作用を有する。
（１）位置ずれ防止壁部と分離壁部との間に遊び部が形成されているので、押込み圧が高い状態等においてシート状弾性体が変形したり位置ずれたりしようとした場合に、遊び部の幅だけシート状弾性体が移動できるので、過度に負荷がかかるのを防止でき、経時的な変形や劣化を抑止できる。
【００２３】
（実施の形態１）
以下、本発明の実施の形態について、図１及び図２に基づいて説明する。
【００２４】
なお、本実施の形態１における自吸式ポンプはシート状弾性体に位置ずれ防止壁部を形成した点以外は背景技術で説明した従来の自吸式ポンプ１０１と同一の構成を有しているので、全体の構成の説明は省略し、シート状弾性体について詳述する。
【００２５】
図１（ａ）は実施の形態１における自吸式ポンプのシート状弾性体の正面図であり、図１（ｂ）は図１（ａ）のＡ−Ａ線の要部矢視断面図である。
【００２６】
図中、１６はシート状弾性体、１７はケーシングカバー、１９は分離壁部、２３ａ〜２３ｃは吐出側連通部、２４は凸部、２５はシート弾性体１６の吐出流路２０ａ側の面に添って立設された位置ずれ防止壁部、２６は位置ずれ防止壁部２５と分離壁部１９との間に形成された遊び部である。
【００２７】
ここで、シート状弾性体１６にはケーシングカバー１７の周縁部及び分離壁部１９との当接部に渡って凸部２４が形成され、シート状弾性体１６とケーシングカバー１７との当接部がより圧接状態になり易くなっている。また、位置ずれ防止壁部２５は凸部２４の側端部から略直交するように連続して形成されている。
【００２８】
以上のように構成された本実施の形態１における自吸式ポンプについて、以下シート状弾性体１６の作用を図２を用いて説明する。
【００２９】
図２は自吸式ポンプ作動時のシート状弾性体の状態を示す要部断面図である。
【００３０】
自吸式ポンプが作動すると吸込流路２０ｂは圧力的に負圧となり、一方吐出流路２０ａは正圧となる。ここで、自吸式ポンプ１０１への押し込み圧が高い場合、図２に示すように、吸込流路２０ｂの負圧が大きくなるため、シート状弾性体１６が吸込流路２０ｂ側に引っ張られるが、位置ずれ防止壁部２５が分離壁部１９に当接して引っ掛かった状態となり、それ以上引っ張り込まれることを防止する。
【００３１】
以上のように本実施の形態１における自吸式ポンプは構成されているので、以下のような作用を有する。
（１）シート弾性体１６の分離壁部１９の吐出流路２０ａ側の面に添って位置ずれ防止壁部２５が形成されているので、吸込流路２０ｂの負圧が高くなってシート状弾性体１６の凸部２４が吸込流路側２０ｂ側へ引っ張られても、位置ずれ防止壁部２５が分離壁部１９に引っ掛かるので、シート状弾性体１６の経時的な変形や位置ずれを防止し、高いシール性を有する。
（２）位置ずれ防止壁部２５が凸部２４の側端部から連続して形成され、凸部２４と位置ずれ防止壁部２５との間に隙間が無いので、凸部２４が吸込流路側２０ｂ側へ引っ張られた場合、位置ずれ防止壁部２５が分離壁部１９に水密に密着し確実にシールすることができる。
（３）また、シート状弾性体１６と分離壁部１９の端部との間に隙間が生じないので、弾性体の震えによる異常音の発生を防止できる。
（４）位置ずれ防止壁部２５と分離壁部１９との間に遊び部２６が形成されているので、シート状弾性体１６に過度に負荷がかかるのを防止でき、経時的な変形や劣化を抑止できる。
【産業上の利用可能性】
【００３２】
本発明は、内部に羽根車が配設されたケーシングと、シート状弾性体を介して周縁部で水密となるようにケーシングの開口部に覆設されたケーシングカバーと、を備えた自吸式ポンプに関し、特に本発明によれば、押込み圧が高い状態等においてシート弾性体の移動を防止し変形や位置ずれを防止し、高いシール性を維持することができ、異常音の発生も防止できポンプ性能及び静音性に優れると共に、シート状弾性体に過度に負荷がかかるのを防止でき、耐久性に優れる自吸式ポンプを提供することができる。
【図面の簡単な説明】
【００３３】
【図１】（ａ）実施の形態１における自吸式ポンプのシート状弾性体の正面図、（ｂ）図１（ａ）のＡ−Ａ線の要部矢視断面図
【図２】自吸式ポンプ作動時のシート状弾性体の状態を示す要部断面図
【図３】従来の自吸式ポンプの一部断面要部側面図
【図４】従来の自吸式ポンプのケーシングカバーの要部正面図
【図５】（ａ）シート状弾性体の正面図、（ｂ）図５（ａ）のＢ−Ｂ線の要部矢視断面図
【図６】自吸式ポンプ作動時のシート状弾性体の状態を示す要部断面図
【符号の説明】
【００３４】
２    駆動モータ
３ａ，３ｂ    モータカバー
４    ステータ
５    ロータ
５ａ    モータ側回転軸
６ａ，６ｂ    モータ側軸受部
７    ハウジング部
８    駆動側マグネット
９    ブラケット部
１１    ケーシング
１２    羽根車
１２ａ    ポンプ側回転軸
１３    ポンプ側軸受部
１４    従動側マグネット
１５    仕切り板
１６    シート状弾性体
１７    ケーシングカバー
１７ａ    固定ビス
１８ａ    吐出口
１８ｂ    吸込口
１９    分離壁部
２０ａ    吐出流路
２０ｂ    吸込流路
２１    吸込側連通部
２２    羽根車室
２３ａ〜２３ｃ    吐出側連通部
２４    凸部
２５    位置ずれ防止壁部
２６    遊び部
１０１    自吸式ポンプ
【図１】
2006214277.tif 000003
【図２】
2006214277.tif 000004
【図３】
2006214277.tif 000005
【図４】
2006214277.tif 000006
【図５】
2006214277.tif 000007
【図６】
2006214277.tif 000008